(57)【要約】【課題】建設機械用シートにおいて、背凭れと座とが連動して傾動しながら操作者の変化する作業姿勢に追従することを可能とする。【解決手段】メインフレーム２と、座板支持部３ａと背凭れ支持部３ｂとからなり座板支持部３ａがメインフレーム２に揺動自在に連結される背凭れフレーム３と、座２０を支持する座板支持部材４と、座板支持部材４に揺動自在に連結されると共に座板支持部３ａに揺動自在に連結される前リンク部材５，５と、座板支持部材４に揺動自在に連結されると共に座板支持部３ａに揺動自在に連結される後リンク部材６，６と、メインフレーム２と背凭れフレーム３との間に介在してメインフレーム２に対して背凭れフレーム３の座板支持部３ａの後部を上方に押し上げ且つ背凭れ支持部３ｂを前方に押し出す付勢力を発揮する傾動動力源７とを有するようにした。【選択図】図１
2011037380.tif 000002
【特許請求の範囲】
【請求項１】
別体として構成された座と背凭れとを有して建設機械に取り付けられるシートであって、メインフレームと、前記座を支持する座板支持部材と、該座板支持部材を支持するために前方に張り出した座板支持部と前記背凭れを支持するために上方に延出する背凭れ支持部とからなり前記座板支持部が前記メインフレームに揺動自在に連結される背凭れフレームと、上部が前記座板支持部材の前部に揺動自在に連結されると共に下部が前記座板支持部の前部に揺動自在に連結される前リンク部材と、上部が前記座板支持部材の後部に揺動自在に連結されると共に下部が前記座板支持部の後部に揺動自在に連結される後リンク部材と、前記メインフレームと前記背凭れフレームとの間に介在して前記メインフレームに対して前記座板支持部の後部を上方に押し上げ且つ前記背凭れ支持部を前方に押し出す付勢力を発揮する傾動動力源とを有することを特徴とする建設機械用シート。
【請求項２】
肘受け部が少なくとも上下に移動すると共に前後にスライドする肘受けを更に有することを特徴とする請求項１記載の建設機械用シート。
【発明の詳細な説明】
【技術分野】
【０００１】
本発明は、建設機械用シートに関する。さらに詳述すると、本発明は、例えばクレーン等の建設機械の操作者が着座する椅子として用いて好適なシートに関する。
【背景技術】
【０００２】
例えばクレーン等の建設機械の操作者の作業姿勢は目線が作業対象物に対して上から下へ，下から上へと連続的に変化する。また、作業状況によって特に上体の姿勢も上向きから下向き，下向きから上向きへと連続的に変化する。
【０００３】
従来の車両用シートは、図４に示すように、リクライニング機構１０１が背凭れ１０２と座１０３との連結部にあり、当該連結部を支点に背凭れ１０２の角度は変化する一方で、座１０３は傾動しない（特許文献１）。また、従来の車両用シートでは、背凭れ１０２の角度は任意の角度に調整された後に当該角度で固定される。
【先行技術文献】
【特許文献】
【０００４】
【特許文献１】特許２６９１３４５号
【発明の概要】
【発明が解決しようとする課題】
【０００５】
しかしながら、特許文献１の車両用シートでは、建設機械操作者の常に変化する作業姿勢に連続的に追従することができないので、作業状況に合わせて作業姿勢を変えるたびに背凭れ１０２の角度を調整しなければならないという問題がある。このため、建設機械の操作者にとって快適であるとは言い難い。
【０００６】
また、建設機械では手元のレバーを前後左右に倒すことで機械の動きを操作する場合が多い。しかしながら、従来の建設機械に装備されている肘受けはシートに固定されて取り付けられて動かないので機械操作者がレバー操作によって肘を動かすたびに肘受けの上面を肘を滑らせながら操作しなければならないという問題がある。また、背凭れの角度を変えた場合に肘受けの位置を手動で調整しなければならないという問題がある。このため、建設機械の操作者にとって快適であるとは言い難い。
【０００７】
そして、上述の問題のために建設機械操作者の作業姿勢と操作者の身体を支えるシートポジションとが作業中に一致しないので操作者の身体的（具体的には、腰，肩，首，肘など）な疲労を増加させる要因になっている。
【０００８】
そこで、本発明は、一般的に作業状況に合わせて操作者の作業姿勢が常に変化する建設機械に取り付けられるシートであって背凭れと座とが連動して傾動しながら建設機械操作者の変化する作業姿勢に追従することができる建設機械用シートを提供することを目的とする。また、本発明は、一般的に手元のレバーを前後左右に倒すことで操作を行う場合が多い建設機械に取り付けられるシートに備えるられる肘受けであって操作者が手元のレバーを操作する際の肘の動きに追従することができる肘受けを更に有する建設機械用シートを提供することを目的とする
【課題を解決するための手段】
【０００９】
かかる目的を達成するため、請求項１記載の建設機械用シートは、別体として構成された座と背凭れとを有して建設機械に取り付けられるシートであって、メインフレームと、座を支持する座板支持部材と、座板支持部材を支持するために前方に張り出した座板支持部と背凭れを支持するために上方に延出する背凭れ支持部とからなり座板支持部がメインフレームに揺動自在に連結される背凭れフレームと、上部が座板支持部材の前部に揺動自在に連結されると共に下部が座板支持部の前部に揺動自在に連結される前リンク部材と、上部が座板支持部材の後部に揺動自在に連結されると共に下部が座板支持部の後部に揺動自在に連結される後リンク部材と、メインフレームと背凭れフレームとの間に介在してメインフレームに対して座板支持部の後部を上方に押し上げ且つ背凭れ支持部を前方に押し出す付勢力を発揮する傾動動力源とを有するようにしている。
【００１０】
したがって、この建設機械用シートによると、背凭れと座とが連動して傾動すると共に、背凭れが傾動動力源による反力を受けながら建設機械操作者の作業姿勢の変化に追従して傾動する。
【００１１】
また、請求項２記載の発明は、請求項１記載の建設機械用シートにおいて、肘受け部が少なくとも上下に移動すると共に前後にスライドする肘受けを更に有するようにしている。この場合には、建設機械操作者のレバー操作に伴う肘の動きに追従して肘受けが動く。
【発明の効果】
【００１２】
請求項１記載の建設機械用シートによれば、建設機械の操作においては一般的に作業状況に合わせて操作者の作業姿勢が常に変化するところ、建設機械操作者の作業姿勢の変化に追従させて背凭れを傾動させることができると共に背凭れの傾動に連動して座を傾動させることができるので、操作者の作業姿勢が変化した場合にも操作者の姿勢に密着させてシートポジションを変えて操作者の身体を安定的に支えることができ、操作者の身体的な負担・疲労の軽減を図ることが可能になる。
【００１３】
また、請求項２記載の建設機械用シートによれば、建設機械の操作においては一般的に手元のレバーを前後左右に倒すことで操作を行う場合が多いところ、建設機械操作者の肘の動きに追従させて肘受けを動かすことができるので、操作者の肘が動いた場合にも当該操作者の肘を安定的に支えることができ、操作者の身体的な負担・疲労の更なる軽減を図ることが可能になる。
【図面の簡単な説明】
【００１４】
【図１】本発明の建設機械用シートの実施形態の一例を示す側面図であって、背凭れが後傾していない状態を示す側面図である。
【図２】本発明の建設機械用シートの実施形態の一例を示す側面図であって、背凭れが後傾している状態を示す側面図である。
【図３】本発明の建設機械用シートが肘受けを更に有する場合の実施形態の一例を示す側面図であって、背凭れが後傾していない状態を示す側面図である。
【図４】従来の車両用シートを示す側面図である。
【発明を実施するための形態】
【００１５】
以下、本発明の構成を図面に示す実施の形態の一例に基づいて詳細に説明する。
【００１６】
図１から図３に、本発明の建設機械用シートの実施形態の一例を示す。ここで、本発明の建設機械用シートは、例えばクレーン等の建設機械の操作室（運転室）に操作者が着座する座を取り付けるために設けられている脚柱や基台に取り付けられて用いられる。また、本明細書においては、建設機械用シート１に着座する操作者を基準にして上下，前後，左右を定義する。
【００１７】
本実施形態の建設機械用シート１は、別体として構成された座２０と背凭れ２１とを有して建設機械に取り付けられるシートであって、建設機械の操作室（運転室）に設けられている脚柱や基台（図示省略）の上端に取り付けられるメインフレーム２と、座２０を支持するために前方に張り出した座板支持部３ａと背凭れ２１を支持するために上方に延出する背凭れ支持部３ｂとからなり座板支持部３ａの中間部がメインフレーム２の中間部に揺動自在に連結される背凭れフレーム３と、座２０を支持する座板支持部材４と、上部が座板支持部材４の前部に揺動自在に連結されると共に下部が背凭れフレーム３の座板支持部３ａの前部に揺動自在に連結される前リンク部材５，５と、上部が座板支持部材４の後部に揺動自在に連結されると共に下部が背凭れフレーム３の座板支持部３ａの後部に揺動自在に連結される後リンク部材６，６と、メインフレーム２と背凭れフレーム３との間に介在してメインフレーム２に対して背凭れフレーム３の座板支持部３ａの後部を上方に押し上げ且つ背凭れ支持部３ｂを前方に押し出す付勢力を発揮する傾動動力源７とで構成されている。
【００１８】
座２０は、例えば、芯材となる座板とその上に載置されるクッション材と当該クッション材を覆う上張地とから構成され、座板が座板支持部材４に固定されることによって当該座板支持部材４に備え付けられる。
【００１９】
また、背凭れ２１は、例えば、芯材となる背板とその前面に取り付けられるクッション材と当該クッション材を覆う上張地とから構成され、背板が背凭れ支持部３ｂに固定されることによって当該背凭れ支持部３ｂに備え付けられる。
【００２０】
なお、座２０や背凭れ２１に力が加えられていない状態では、傾動動力源７が付勢力を発揮することによって座２０の後端の傾斜面と背凭れ２１の下端の傾斜面とが当接し、本実施形態では、座２０は若干前下がりであると共に背凭れ２１は概ね直立している（以下、初期位置と呼ぶ）。すなわち、力が加えられていない状態において傾動動力源７の付勢力に抗して座２０と背凭れ２１との位置決めをするストッパの役割を果たす傾斜面が座２０の後端と背凭れ２１の下端とに形成されている。
【００２１】
メインフレーム２は、左右方向に貫通する前連結シャフト１０を支持する貫通孔を前部に有すると共に左右方向に貫通する中央連結シャフト１１を支持する貫通孔を中央付近に有して対向する左右の側壁と底板とからなる。そして、底板が建設機械の操作室（運転室）に設けられている脚柱や基台（図示省略）の上端に例えばボルト締めされることによってメインフレーム２が取り付けられる。なお、本実施形態では、前連結シャフト１０及び中央連結シャフト１１はスリーブを介して軸回転可能にメインフレーム２の左右の側壁に支持される。
【００２２】
背凭れフレーム３は全体として側面視Ｌ字形に形成され、座２０側（即ち前方）に張り出した座板支持部３ａと背凭れ２１を支持するために上方に延出する背凭れ支持部３ｂとからなる。
【００２３】
座板支持部３ａは、左右方向に貫通する中央連結シャフト１１を貫通させる貫通孔を中央付近に有して対向する左右の側壁からなり、メインフレーム２を左右から挟むように、すなわち座板支持部３ａを形成する左右の側壁がメインフレーム２の両側壁の左右外側にそれぞれ配置される幅に形成される。
【００２４】
座板支持部３ａを形成する左右の側壁は、また、それぞれ、左右方向に貫通する前リンク下ピン１２，１２を貫通させる貫通孔を前部に有すると共に、左右方向に貫通する後リンク下ピン１４，１４を貫通させる貫通孔を後部に有する。なお、前リンク下ピン１２を貫通させる貫通孔は前方に向かって上向きに傾斜した長孔として形成される。また、本実施形態では、前リンク下ピン１２及び後リンク下ピン１４はスリーブを介して軸回転可能に座板支持部３ａを形成する左右の側壁に支持される。
【００２５】
背凭れ支持部３ｂは、座板支持部３ａを形成する左右の側壁それぞれの後端から左右対向して後ろ向きやがて上向きに延出し上端で繋がって正面視逆Ｕ字形に形成される。
【００２６】
メインフレーム２及び座板支持部３ａの上方には座板支持部材４が配設される。座板支持部材４は、対向する左右の側壁と天板とからなり、左右の側壁が、座板支持部３ａを形成する両側壁の左右外側にそれぞれ位置する幅に形成される。
【００２７】
座板支持部材４の左右の側壁は、それぞれ、左右方向に貫通する前リンク上シャフト１３を貫通させる貫通孔を前部に有すると共に、左右方向に貫通する後リンク上シャフト１５を貫通させる貫通孔を後部に有する。なお、本実施形態では、前リンク上シャフト１３及び後リンク上シャフト１５はスリーブを介して軸回転可能に座板支持部材４の左右の側壁に支持される。
【００２８】
本実施形態の前リンク部材５，５は、三角形の板状に形成され、座板支持部３ａを形成する左右の側壁と座板支持部材４の左右の側壁との間に立てられて座板支持部３ａを挟んで対向して配設される。なお、前リンク部材５，５の形状は三角形に限られるものではなく、例えばＬ字形であっても構わない。
【００２９】
前リンク部材５は、三角形の各角部に貫通孔を有し、当該貫通孔それぞれに、座板支持部３ａを形成する側壁の前部を貫通する前リンク下ピン１２を貫通させ、座板支持部材４の左右の側壁の前部を貫通する前リンク上シャフト１３を貫通させ、メインフレーム２の左右の側壁の前部を貫通する前連結シャフト１０を貫通させる。そして、前リンク部材５は、前連結シャフト１０を支点として、背凭れフレーム３の傾動を伝達して座板支持部材４を傾動させる。
【００３０】
一方、本実施形態の後リンク部材６，６は、細長の板状に形成され、座板支持部３ａを形成する左右の側壁と座板支持部材４の左右の側壁との間に立てられて座板支持部３ａを挟んで対向して配設される。
【００３１】
そして、後リンク部材６は、長手方向の両端部に貫通孔を有し、当該貫通孔それぞれに、座板支持部３ａを形成する側壁の後部を貫通する後リンク下ピン１４を貫通させ、座板支持部材４の左右の側壁の後部を貫通する後リンク上シャフト１５を貫通させる。
【００３２】
これら前リンク部材５と後リンク部材６とにより、背凭れフレーム３の背凭れ支持部３ｂを前後に傾動させると中央連結シャフト１１を軸として座板支持部３ａが揺動し、当該座板支持部３ａの揺動に連動して座板支持部材４が傾動する。すなわち、初期位置から背凭れ２１が後方に傾動した場合には座２０の後部が下がり、背凭れ２１が初期位置に戻る場合には座２０の後部が上がる。
【００３３】
そして、このように背凭れ２１の角度の変化（即ち傾動）に連動して座２０の角度も変化（即ち傾動）することにより、建設機械操作者の特に上体の姿勢変化に応答して座２０も傾動することになり、操作者の身体をより安定的に支えることができ、操作者の身体的な負担・疲労を効果的に軽減することができる。
【００３４】
なお、座２０及び背凭れ２１の傾動範囲は本発明の建設機械用シートが取り付けられる建設機械に合わせて適宜調整される。具体的には例えば、座２０が若干前下がりであると共に背凭れ２１が概ね直立している位置から、背凭れ２１が１３〜２３度程度後傾しその際に座２０が概ね水平若しくは若干前上がりになる範囲で座２０と背凭れ２１とを傾動させるようにすることが考えられる。
【００３５】
傾動動力源７はメインフレーム２と背凭れフレーム３との間に介在してメインフレーム２に対して背凭れフレーム３の座板支持部３ａの後部を上方に押し上げ且つ背凭れ支持部３ｂを前傾させるように前方に押し出す付勢力を発揮するものである。そして、座２０や背凭れ２１に力が加えられていない場合には、傾動動力源７が付勢力を発揮することによって建設機械用シート１は初期位置を保つ。
【００３６】
なお、傾動動力源７はメインフレーム２に対して背凭れフレーム３の座板支持部３ａの後部を上方に押し上げ且つ背凭れ支持部３ｂを前傾させるように前方に押し出す付勢力を発揮する動力源となる装置であれば良く、本実施形態では、ロック機構付きガススプリングが用いられる。
【００３７】
ロック機構付きガススプリング７（以下、単にスプリング７と表記する）は、下端が下端連結軸７ａを介してメインフレーム２の後部に揺動自在に連結されると共に、上端が上端連結軸７ｂを介して背凭れ支持部３ｂの中間部に揺動自在に連結される。このため、メインフレーム２の後部には下端連結軸７ａを摺動自在に保持するための貫通孔が設けられ、本実施形態では、当該貫通孔は前後方向の長孔として形成される。
【００３８】
本実施形態のスプリング７は、シリンダー７ｃ内にシャフト７ｄと連結したピストンを内蔵し、シリンダー７ｃ内のピストンの両側の空間を連通路によって連通させた構造を有する。また、スプリング７は、シャフト７ｄのシリンダー７ｃから突出する方の先端部に操作機構７ｅを備える。ガススプリングの操作機構並びにその取り付け態様自体は周知の技術であるのでここでは詳細については省略する（例えば、特開２０００−１３９６０４号や特開２００８−１２５５６１号参照）。
【００３９】
そして、傾動動力源として本実施形態のようにロック機構を有するスプリング７を用いた場合には図示していないレバーの操作によって操作機構７ｅを介して充填ガスの流路を閉じて出入りするシャフト７ｄを任意の長さでロックすることが可能であり、これによって背凭れフレーム３の傾動を制限して任意の傾斜角度で座２０と背凭れ２１とを固定することが可能である。
【００４０】
本実施形態では、スプリング７の下端とメインフレーム２の後部とを揺動自在に連結する下端連結軸７ａの軸心位置を移動させて初期位置におけるメインフレーム２及び背凭れ支持部３ｂとスプリング７とのなす角の大きさを変えることにより、スプリング７によって背凭れフレーム３に付与される付勢力の大きさを調整するようにしている。
【００４１】
具体的には、本実施形態では、後グリップ８ａと下端連結軸７ａとによって角度調整反力調整機構８が構成される。そして、後グリップ８ａを廻すとメインフレーム２に対するねじ込みの程度が変化して下端連結軸７ａがメインフレーム２後部の長孔に案内されて前後方向に移動する。具体的には、傾動動力源であるスプリング７に垂直に負荷をかけた場合に反力が最も大きくなるので、後グリップ８ａを廻して下端連結軸７ａを前方に移動させた場合にはそれに伴って傾動動力源であるスプリング７の角度が次第に横たわる角度になってスプリング７の反力は小さくなる。このように、メインフレーム２及び背凭れ支持部３ｂに対するスプリング７の角度を調整して得られる反力の大きさを調整する構造である角度調整反力調整機構８を備えるようにすることによって背凭れフレーム３に付与される反力を調整することができる。
【００４２】
そして、傾動動力源として本実施形態のようにロック機構を有するスプリング７を用いることにより、作業状況に合わせての作業姿勢の変化がない若しくは殆どない場合にはスプリング７をロックすることによって背凭れフレーム３の傾動を制限して機械操作を行うことができると共に、作業姿勢が頻繁に変化する場合にはスプリング７のロックを解除して背凭れフレーム３を揺動自在にすることにより、上体を後ろに反らすときにはスプリング７の反力によって背凭れ２１の急激な傾動が回避され安定的に支えられた状態で姿勢を変化させて機械操作を行うことができ且つ上体を元に戻すときには背凭れ２１を介してスプリング７の付勢力を受けながら姿勢を変えることができる。
【００４３】
さらに、本実施形態では、つる巻きばね９ａと前グリップ９ｂとからなる前部反力調整機構９を備えるようにしている。具体的には、つる巻きばね９ａは、一端がメインフレーム２の前端部に取り付けられた前グリップ９ｂの軸に係止され、中間部分が前連結シャフト１０に巻かれ（言い換えると、前連結シャフト１０を貫通させ）、他端が座板支持部材４の前部を左右に貫通する前リンク上シャフト１３に係止される。そして、つる巻きばね９ａは、前連結シャフト１０に巻かれた部分を支点として前リンク上シャフト１３をメインフレーム２に対して後方上向きに付勢する。
【００４４】
また、前グリップ９ｂの軸には雄ねじが形成されていると共にメインフレーム２の底板の前端部には雌ねじが形成された貫通孔が設けられており、当該雄ねじと雌ねじとの働きによってメインフレーム２に対するねじ込みの程度が調整可能であり、当該ねじ込みの程度を調整することによってつる巻きばね９ａの締め付けの程度が調整されて当該つる巻きばね９ａによって発揮される付勢力が調整される。
【００４５】
これらつる巻きばね９ａと前グリップ９ｂとにより、前連結シャフト１０に巻かれた部分を支点として前リンク上シャフト１３をメインフレーム２に対して後方上向きに付勢する力を調整することが可能であり、前リンク部材５を介して背凭れフレーム３の傾動に連動して座板支持部材４が傾動する際の背凭れフレーム３の傾動への座板支持部材４の追従の程度を調整することができる。
【００４６】
本実施形態の建設機械用シート１は、図３に示すように、肘受け１７を更に有する。本実施形態の肘受け１７は、座２０の後端寄りの位置に直立するように備えられたポール１８に取り付けられる。なお、ポール１８は、円柱形状であり、建設機械用シート１が備えられている操作室（運転室）の例えば床面に固定して取り付けられる。
【００４７】
肘受け１７は、建設機械操作者が肘を載せる肘受け部としての肘パッド１７ａと、当該肘パッド１７ａが取り付けられている水平スライダ１７ｂと、当該水平スライダ１７ｂが取り付けられている水平スライダガイド１７ｃと、当該水平スライダガイド１７ｃの後端が取り付けられている垂直スライダ１７ｅと、水平スライダガイド１７ｃと垂直スライダ１７ｅとの間に介在するように取り付けられている反力装置１７ｄとからなる。
【００４８】
肘パッド１７ａは、本実施形態では後側よりも前側の方が薄肉のかまぼこ形に形成され、水平スライダ１７ｂの上面に取り付けられる。
【００４９】
水平スライダ１７ｂは、下面が開口している正面視断面コ字形に形成されると共に、側壁内面の下端部に帯状の凸部が形成されている。一方、水平スライダガイド１７ｃは正面視断面Ｔ字形の細長棒状に形成される。
【００５０】
そして、水平スライダガイド１７ｃの上から水平スライダ１７ｂが嵌められるように備えられる。このとき、水平スライダ１７ｂ側壁内面下端部の凸部が断面Ｔ字形をなす水平スライダガイド１７ｃの下側部分に嵌め合わされて、両者は軸方向（即ち前後方向）に摺動自在に組み合わされる。
【００５１】
垂直スライダ１７ｅは、軸心方向の貫通孔を有する円筒状に形成され、貫通孔にポール１８を貫通させて当該ポール１８に軸方向（即ち上下方向）に摺動可能に取り付けられる。
【００５２】
垂直スライダ１７ｅは、また、周壁を貫通するねじ１７ｆを備え、当該ねじ１７ｆをねじ込んで先端面をポール１８の外周面に当接させることによってポール１８の任意の高さに固定される。
【００５３】
そして、本実施形態の垂直スライダ１７ｅは、ポール１８の任意の高さに固定された状態においても当該ポール１８の軸心に対して軸回転可能であり、初期位置として前方に張り出している肘パッド１７ａをポール１８の軸心を中心として左右に旋回させることができる。
【００５４】
水平スライダガイド１７ｃの後端はピンを介して垂直スライダ１７ｅの周壁外周面に対して揺動自在に取り付けられる。
【００５５】
反力装置１７ｄは、一端が水平スライダガイド１７ｃの下端面にピンを介して揺動自在に取り付けられると共に、他端が垂直スライダ１７ｅの周壁外周面に対して揺動自在に取り付けられる。
【００５６】
以上の構成によって肘パッド１７ａは、例として図３において一点鎖線で示すように、ポール１８と垂直スライダ１７ｅとによって上下方向に移動可能であると共に任意の高さ位置に固定可能であり且つポール１８の軸心を中心として左右に旋回可能であり、水平スライダガイド１７ｃと水平スライダ１７ｂとによって前後方向にスライド可能であり、さらに、水平スライダガイド１７ｃと垂直スライダ１７ｅとの取付構造によって水平スライダガイド１７ｃの後端を支点として上下に揺動自在であり、建設機械操作者の肘の動きに追従して動いて当該操作者の肘を安定的に支えることができる。また、水平スライダガイド１７ｃの後端を支点とする上下の揺動に対しては反力装置１７ｄの反力によって急激な揺動が回避される。なお、建設機械操作者の腕を固定するベルト（図示していない）を肘パッド１７ａに取り付けて当該肘パッド１７ａに腕を固定するようにした場合には、水平状態から前端側を持ち上げた状態で肘パッド１７ａに腕を支持させることもできる。
【００５７】
以上の構成を有する本発明の建設機械用シート１によれば、建設機械の操作においては一般的に作業状況に合わせて操作者の作業姿勢が常に変化するところ、建設機械操作者の作業姿勢の変化に追従させて背凭れ２１を傾動させることができると共に背凭れ２１の傾動に連動して座２０を傾動させることができるので、操作者の作業姿勢が変化した場合にも操作者の姿勢に密着させてシートポジションを変えて操作者の身体を安定的に支えることができ、操作者の身体的な負担・疲労の軽減を図ることが可能になる。また、本発明の建設機械用シート１によれば、作業姿勢の変化に追従して座２０及び背凭れ２１が動作するので、作業状況に合わせて作業姿勢を変えるたびに背凭れ２１の角度などのシートポジションを調整する必要がなく、作業効率の向上を図ることが可能になる。
【００５８】
本発明の建設機械用シート１によれば、さらに、建設機械の操作においては一般的に手元のレバーを前後左右に倒すことで操作を行う場合が多いところ、操作者の肘の動きに追従させて肘受けパッド１７ａを動かすことができるので、操作者の肘が動いた場合にも当該操作者の肘を安定的に支えることができ、操作者の身体的な負担・疲労の更なる軽減を図ることが可能になる。
【００５９】
なお、上述の形態は本発明の好適な形態の一例ではあるがこれに限定されるものではなく、本発明の要旨を逸脱しない範囲において種々変形実施可能である。例えば、本実施形態では、角度調整反力調整機構８を備えるようにしているが、当該機構は本発明の建設機械用シートにとって必須のものではなく、当該機構を有しない構成にしても良い。
【００６０】
また、本実施形態では、前部反力調整機構９を備えるようにしているが、当該機構は本発明の建設機械用シートにとって必須のものではなく、当該機構を有しない構成にしても良い。
【００６１】
また、本実施形態では、肘受け１７及びポール１８を備えるようにしているが、これらは本発明の建設機械用シートにとって必須のものではなく、肘受け１７及びポール１８を有しない構成にしても良い。
【００６２】
なお、上述の説明においては本発明が適用され得るものとしてクレーン等の建設機械を挙げているが、本発明の適用範囲はこれに限定されるものではなく、他にも例えば油圧ショベルやブルドーザやフォークリフト等のように特に作業中の操作者の姿勢・目線が上から下へ，下から上へ連続的に変化する建設機械や産業用車両全般に対して適用が可能である。
【符号の説明】
【００６３】
１  建設機械用シート
２  メインフレーム
３  背凭れフレーム
４  座板支持部材
５  前リンク部材
６  後リンク部材
７  傾動動力源
【図１】
2011037380.tif 000003
【図２】
2011037380.tif 000004
【図３】
2011037380.tif 000005
【図４】
2011037380.tif 000006